(57)【特許請求の範囲】
【請求項１】
供給空気から吸湿するとともに加熱空気に水分を放出して再生する除湿ローター（２）と、前記除湿ローター（２）に空気を供給して水分を吸湿させる吸湿経路（６）と、前記除湿ローター（２）に再生空気を循環させて水分を放出させる循環経路（８）と、前記除湿ローター（２）に供給する再生空気を加熱する加熱器（９）と、前記循環経路（８）の一画を形成する再生空気通路（１１）および冷却空気が流れる冷却空気通路（１２）を有する熱交換器（１０）とを備え、前記熱交換器（１０）は、薄板状の伝熱板（２３ａ、２３ｂ）を間隔リブ（２４ａ、２４ｂ）により所定の間隔で複数枚積層し、
前記所定間隔で積層された一方の伝熱板（２３ａ）と他方の伝熱板（２３ｂ）の積層間隙に再生空気と冷却空気とを交互に流して前記再生空気通路（１１）と前記冷却空気通路（１２）を形成し、前記一方の伝熱板（２３ａ）と前記他方の伝熱板（２３ｂ）の通路開口部以外の端面を隣り合う同士で溶着して前記再生空気通路（１１）と前記冷却空気通路（１２）の気密性を確保し、再生空気と冷却空気を前記一方の伝熱板（２３ａ）と前記他方の伝熱板（２３ｂ）の各々を介して熱交換させて再生空気中の水分を凝縮させる構成とし、前記熱交換器（１０）の再生空気通路（１１）は、再生空気の入口側が上部に、かつ再生空気の出口側が下部となるように鉛直方向に配設され、
前記一方の伝熱板（２３ａ）の再生空気の送風方向であって前記間隔リブ（２４ａ）と同一方向に突設する第一の誘導リブ（２７ａ）が形成され、
前記他方の伝熱板（２３ｂ）の再生空気の送風方向であって前記間隔リブ（２４ｂ）と逆方向に突設する第二の誘導リブ（２７ｂ）が形成され、
前記一方の伝熱板（２３ａ）の前記第一の誘導リブ（２７ａ）のリブ高さを前記一方の伝熱板（２３ａ）の間隔リブ（２４ａ）と同一とし、前記他方の伝熱板（２３ｂ）の前記第二の誘導リブ（２７ｂ）のリブの高さは、前記一方の伝熱板（２３ａ）の前記第一の誘導リブ（２７ａ）よりも低く形設されるとともに、前記他方の伝熱板（２３ｂ）の前記第二の誘導リブ（２７ｂ）は、積層状態において前記一方の伝熱板（２３ａ）の間隔リブ（２４ａ）と前記第一の誘導リブ（２７ａ）の中央部分に位置するように形設された、除湿装置。
【請求項２】
前記伝熱板（２３ａ、２３ｂ）と一体形成した間隔リブ（２４ａ、２４ｂ）によって前記伝熱板（２３ａ、２３ｂ）の積層間隔を保持した、請求項１項記載の除湿装置。
【請求項３】
前記再生空気通路（１１）内に突設する誘導リブ（２７ａ、２７ｂ）を、前記伝熱板（２３ａ、２３ｂ）と一体に形成した、請求項１または２記載の除湿装置。
【請求項４】
前記誘導リブ（２７ａ、２７ｂ）を、再生空気の送風方向において連続に形成した、請求項３記載の除湿装置。
【請求項５】
前記冷却空気通路（１２）内に突設する整流リブ（２８）を、前記伝熱板（２３ａ、２３ｂ）と一体に形成した、請求項１または２記載の除湿装置。
【請求項６】
前記整流リブ（２８）を、大略水平方向に配設された前記冷却空気通路（１２）に、冷却空気の送風方向において不連続に形成した、請求項５記載の除湿装置。
【請求項７】
前記伝熱板（２３ａ、２３ｂ）の外形を、長辺側の対辺と短辺側の対辺を有する多角形状に形成し、長辺側に前記冷却空気通路（１２）を配設して短辺側に前記再生空気通路（１１）を配設した、請求項１乃至６いずれかに記載の除湿装置。
【請求項８】
前記伝熱板（２３ａ、２３ｂ）の外形を、長辺側の対辺と短辺側の対辺を有する多角形状に形成し、長辺側に前記再生空気通路（１１）を配設して短辺側に前記冷却空気通路（１２）を配設した、請求項１乃至６いずれかに記載の除湿装置。
【請求項９】
前記再生空気通路（１１）内を再生空気が鉛直下向きに流れるように前記伝熱板（２３ａ、２３ｂ）を配設した、請求項７または８記載の除湿装置。
【請求項１０】
前記伝熱板（２３ａ、２３ｂ）の前記再生空気通路（１１）の出口側に対応する一辺すべてを出口に到達した水滴が円滑に移動可能なように水平方向に対して傾斜させた、請求項９記載の除湿装置。
【請求項１１】
前記伝熱板（２３ａ、２３ｂ）の前記再生空気通路（１１）の入口部は、再生空気の供給方向に対して手前から奥に向けて上り勾配が形成された、請求項９記載の除湿装置。
【請求項１２】
前記伝熱板（２３ａ、２３ｂ）の積層方向両端に前記再生空気通路（１１）を配列した、請求項１乃至１１いずれかに記載の除湿装置。
【請求項１３】
前記伝熱板（２３ａ、２３ｂ）の積層方向両端に前記冷却空気通路（１２）を配列した、請求項１乃至１１いずれかに記載の除湿装置。
【請求項１４】
前記伝熱板（２３ａ、２３ｂ）を、熱可塑性樹脂材料からなるシート材（３０）から成形した、請求項１乃至１３いずれかに記載の除湿装置。
【請求項１５】
前記伝熱板（２３ａ、２３ｂ）を、熱可塑性樹脂材料にゴム粒子を分散させたシート材（３０）から成形した、請求項１乃至１３いずれかに記載の除湿装置。
【請求項１６】
前記シート材（３０）の熱可塑性樹脂材料を、ポリスチレンとした、請求項１４または１５記載の除湿装置。
【請求項１７】
前記シート材（３０）の熱可塑性樹脂材料を、ポリプロピレンとした、請求項１４または１５記載の除湿装置。
【請求項１８】
前記シート材（３０）の熱可塑性樹脂材料を、ポリカーボネートとした、請求項１４または１５記載の除湿装置。
【請求項１９】
前記シート材（３０）の熱可塑性樹脂材料を、ポリエチレンテフタレートとした、請求項１４または１５記載の除湿装置。
【請求項２０】
前記シート材（３０）の熱可塑性樹脂材料を、アクリロニトリル・ブタジエン・スチレンとした、請求項１４または１５記載の除湿装置。
【請求項２１】
前記シート材（３０）を、ハイインパクトポリスチレンシートとした、請求項１４または１５記載の除湿装置。
【請求項２２】
前記シート材（３０）の厚みを０．０５〜０．５ｍｍの範囲とした、請求項１４乃至２１いずれかに記載の除湿装置。
【請求項２３】
前記シート材（３０）に抗菌剤を添加した、請求項１４乃至２２いずれかに記載の除湿装置。
【請求項２４】
前記シート材（３０）に帯電防止剤を添加した、請求項１４乃至２２いずれかに記載の除湿装置。
【請求項２５】
前記シート材（３０）に難燃剤を添加した、請求項１４乃至２２いずれかに記載の除湿装置。
【請求項２６】
前記シート材（３０）に脱臭剤を添加した、請求項１４乃至２２いずれかに記載の除湿装置。
【請求項２７】
前記シート材（３０）の表面を撥水性とした、請求項１４乃至２２いずれかに記載の除湿装置。
【請求項２８】
前記シート材（３０）の表面を親水性とした、請求項１４乃至２２いずれかに記載の除湿装置。
【発明の詳細な説明】
【技術分野】
【０００１】
本発明は、除湿ローターで吸湿した水分を熱交換器で凝縮させて回収することにより除湿を行う除湿装置に関する。
【背景技術】
【０００２】
従来の除湿ローターで吸湿した水分を熱交換器で凝縮させて回収する除湿装置としては、除湿ローターが吸湿した水分を加熱器で加熱した高温の再生空気を供給して放出させ、この放出した水分を含んだ高湿の再生空気を、熱交換器において冷却空気により冷却して水分を凝縮水として回収し、この水分を凝縮除去した再生空気を加熱器に戻して循環させる構成のものがある。この再生空気循環型の構成では、高湿の再生空気が装置外部に排出されないので再生空気が高湿状態となり、冷却空気とのエンタルピ差が拡大して熱交換器で効率よく水分を回収できるという特長がある。反面、再生空気と冷却空気との空気漏洩が多いと凝縮水回収量が低下するので、熱交換器には再生空気の通路と冷却空気の通路との気密性が要求されている。また、再生空気をできるだけ低い温度まで冷却して飽和水蒸気量を少なくした方が、より多くの水分を凝縮できるので熱交換器の熱交換効率を高める必要もある。
【０００３】
このような除湿装置に用いられる熱交換器としては、平板状に形成した複数枚の伝熱板の間に、波形に形成した間隔板をその波形の形成方向を交互に９０°違えて挿入し、伝熱板と間隔板の頂辺部を接着剤などで固定して、再生空気が流れる再生空気通路と冷却空気が流れる冷却空気通路を直交方向に一段おきに形成して熱交換を行うものがある（例えば、特許文献１参照）。
【０００４】
また、内部が多数の通路に分割された通路群形成体を一段ずつ交互に通路方向を９０°変えて複数段積層し、この積層した通路群形成体の一段おきに再生空気と冷却空気を直交するように交互に流して熱交換を行うものがある。この構成では通路群形成体を、自身の肉厚を出来るだけ薄くし、また、隣り合う同士の面をできるだけ密着させ接触面積を増やして熱交換効率を高めるようにしている（例えば、特許文献２参照）。
【０００５】
また、ブロー成形などにより、パイプ状の伝熱管を複数形成した中空状の樹脂成形部品を用い、この複数の伝熱管の内部に再生空気を流し、また、複数の伝熱管の外部間隙に冷却空気を流して、熱交換を行うものもある（例えば、特許文献３参照）。
【特許文献１】特開平１０−３２３号公報（第３頁、第２図）
【特許文献２】特開平１１−１２８６５４号公報（第３頁、第３図）
【特許文献３】特開２００３−２６９７４６号公報（第９頁、第７図）
【発明の開示】
【発明が解決しようとする課題】
【０００６】
以上のように除湿装置に用いられる熱交換器は様々な形態のものが提案されている。特許文献１に例示される熱交換器は、複数枚の伝熱板に間隔板を挟んで積層した構造であり、伝熱面が密に形成できて小型化が可能である。
【０００７】
しかしながら、この熱交換器は、再生空気通路と冷却空気通路の気密性を確保するのに、間隔板の頂辺部を伝熱板に接着剤等で固定する必要があり、接着剤の塗布バラツキや凝縮水による接着強度低下により、気密性の維持および確保が困難であり、また、塗布した接着剤や間隔板枚数分の重量が嵩んで重くなるという課題があった。
【０００８】
また、再生空気通路内で間隔板の波形頂角部分に凝縮した水滴は表面張力により、容易に滴下せずに通路内に滞留し、通風抵抗を増加させるという課題があった。
【０００９】
また、特許文献２に例示される熱交換器は、内部を多数の通路に分割した通路群形成体を複数段交互に積層固着した構造であり、再生空気通路と冷却空気通路の気密性の確保が容易である。
【００１０】
しかしながら、この熱交換器は、再生空気と冷却空気の間に、各々の通路群形成対の外壁面が２枚と各々の外壁面同士の密着面が存在するので、熱抵抗が高くなり熱交換効率が低下し、また、密着面の接着剤塗布バラツキにより熱交換効率の維持が困難であるという課題があった。
【００１１】
また、再生空気通路側において通路群形成体に設けた多数の内部通路の角部に凝縮した水滴は表面張力により、容易に滴下せずに内部通路に滞留し、通風抵抗を増加させるという課題があった。
【００１２】
また、特許文献３に例示される熱交換器は、中空状の樹脂成形部品から構成し、気密性の確保と構造の簡略化が図られている。
【００１３】
しかしながら、この中空状熱交換器は、伝熱面をパイプ状に形成するため、同一体積内に形成できる伝熱面積が、上記特許文献１に例示される積層型熱交換器の略１／５程度と少なく、熱交換効率が悪いという課題があった。
【００１４】
また、低い熱交換効率により再生空気通路内が露点温度４０℃前後の高湿状態になるので、再生空気の漏洩による装置外部への水分排出量が多くなり除湿性能が低下する、さらに除湿ローターを再生させる空気もより高温に加熱して乾燥度を高める必要があるため、エネルギーが増加し、除湿効率（除湿した水分の凝縮潜熱量／除湿に要するエネルギー量）が悪いという課題があった。
【００１５】
また、伝熱面をパイプ状に形成するのに所定の肉厚、具体的には０．５〜１．０ｍｍ程度の平均肉厚が必要になり、熱抵抗が大きくなり熱交換効率が低下し、また、肉厚分の重量が嵩んで熱交換器が重くなるという課題があった。
【００１６】
本発明は上記従来の課題を解決するものであり、熱交換効率を向上でき、小型軽量化が図れ、再生空気通路の水滴滞留も少なく、また、接着剤を用いずに再生空気通路と冷却空気通路の気密性を高められる熱交換器を搭載することによって、除湿効率（除湿した水分の凝縮潜熱量／除湿に要するエネルギー量）を向上した除湿装置を提供することを目的としている。
【課題を解決するための手段】
【００１７】
上記した目的を達成するために、本発明が講じた第１の課題解決手段は、供給空気から吸湿するとともに加熱空気に水分を放出して再生する除湿ローター（２）と、前記除湿ローター（２）に空気を供給して水分を吸湿させる吸湿経路（６）と、前記除湿ローター（２）に再生空気を循環させて水分を放出させる循環経路（８）と、前記除湿ローター（２）に供給する再生空気を加熱する加熱器（９）と、前記循環経路（８）の一画を形成する再生空気通路（１１）および冷却空気が流れる冷却空気通路（１２）を有する熱交換器（１０）とを備え、前記熱交換器（１０）は、薄板状の伝熱板（２３ａ、２３ｂ）を間隔リブ（２４ａ、２４ｂ）により所定の間隔で複数枚積層し、
前記所定間隔で積層された一方の伝熱板（２３ａ）と他方の伝熱板（２３ｂ）の積層間隙に再生空気と冷却空気とを交互に流して前記再生空気通路（１１）と前記冷却空気通路（１２）を形成し、前記一方の伝熱板（２３ａ）と前記他方の伝熱板（２３ｂ）の通路開口部以外の端面を隣り合う同士で溶着して前記再生空気通路（１１）と前記冷却空気通路（１２）の気密性を確保し、再生空気と冷却空気を前記一方の伝熱板（２３ａ）と前記他方の伝熱板（２３ｂ）の各々を介して熱交換させて再生空気中の水分を凝縮させる構成とし、前記熱交換器（１０）の再生空気通路（１１）は、再生空気の入口側が上部に、かつ再生空気の出口側が下部となるように鉛直方向に配設され、
前記一方の伝熱板（２３ａ）の再生空気の送風方向であって前記間隔リブ（２４ａ）と同一方向に突設する第一の誘導リブ（２７ａ）が形成され、
前記他方の伝熱板（２３ｂ）の再生空気の送風方向であって前記間隔リブ（２４ｂ）と逆方向に突設する第二の誘導リブ（２７ｂ）が形成され、
前記一方の伝熱板（２３ａ）の前記第一の誘導リブ（２７ａ）のリブ高さを前記一方の伝熱板（２３ａ）の間隔リブ（２４ａ）と同一とし、前記他方の伝熱板（２３ｂ）の前記第二の誘導リブ（２７ｂ）のリブの高さは、前記一方の伝熱板（２３ａ）の前記第一の誘導リブ（２７ａ）よりも低く形設されるとともに、前記他方の伝熱板（２３ｂ）の前記第二の誘導リブ（２７ｂ）は、積層状態において前記一方の伝熱板（２３ａ）の間隔リブ（２４ａ）と前記第一の誘導リブ（２７ａ）の中央部分に位置するように形設されたものである。
【００１８】
そして、上記第１の課題解決手段は、次の作用を有する。すなわち、除湿ローター（２）は吸湿経路（６）において供給空気から吸湿し、この吸湿した水分を循環経路（８）において加熱器（９）で加熱された高温の再生空気に放出する。除湿ローター（２）が放出した水分を含み高湿となった再生空気は、熱交換器（１０）の再生空気通路（１１）に供給されて冷却空気通路（１２）を流れる冷却空気との熱交換を行う。この再生空気通路（１１）および冷却空気通路（１２）は、所定間隔をおいて複数枚積層された伝熱板（２３ａ、２３ｂ）の積層間隙の一段おきに形成されており、この伝熱板（２３ａ、２３ｂ）の通路開口部以外の端面は隣り合う同士で溶着されている。この溶着接合により複数枚の伝熱板（２３ａ、２３ｂ）が強固に固定され、再生空気通路（１１）と冷却空気通路（１２）の気密性が確保される。また、再生空気と冷却空気との間には伝熱板（２３ａ、２３ｂ）一枚のみが介在するだけなので熱抵抗が小さくなり熱交換効率が向上する。さらに再生空気通路（１１）と冷却空気通路（１２）が交互に複数段形成されるので伝熱面が密に形成されて熱交換器（１０）が小型で軽量になる。そして熱交換器（１０）で高効率な熱交換を行った再生空気は十分低い温度に冷却されて飽和水蒸気量が小さくなり水分が飽和する。この再生空気から飽和した水分が凝縮水として回収される。この凝縮水回収量が除湿装置の除湿量となるので熱交換効率を向上し再生空気の飽和水蒸気量を下げた分、除湿量が増加することになる。また、再生空気通路（１１）には間隔板や通路分割板が存在しないので、凝縮した水滴に表面張力が働きにくくなり水滴が自重によって円滑に滴下して水滴滞留が抑制される。そして熱交換器（１０）で十分に冷却された再生空気は、循環経路（８）を循環して再び加熱器（９）に戻る。この加熱器（９）で再生空気を従来同等の温度まで加熱した場合は、飽和水蒸気量が小さい分だけ相対湿度が低下し、より乾燥した高温の空気となる。したがって除湿ローター（２）が水分を放出しやすくなり、再生空気への水分放出が増加し、熱交換器（１０）での凝縮水回収量も増加することになる。また、再生空気の飽和水蒸気量が小さいので空気漏洩に伴う水分漏洩量も減少し、水分漏洩による除湿量低下が抑制される。このような相乗作用によって除湿装置の除湿効率（除湿した水分の凝縮潜熱量／除湿に使用したエネルギー量）が向上することになる。
さらにまた、再生空気通路を再生空気の入口側が上部に、かつ再生空気の出口側が下部となるように鉛直方向に配設し、誘導リブ（２７ａ、２７ｂ）を再生空気の送風方向に形成したので、再生空気通路（１１）に結露した水滴を速やかに滴下させることができる。
さらにまた、一方の伝熱板（２３ａ）の第一の誘導リブ（２７ａ）のリブ高さを一方の伝熱板（２３ａ）の間隔リブ（２４ａ）と同一とし、他方の伝熱板（２３ｂ）の第二の誘導リブ（２７ｂ）のリブの高さは、一方の伝熱板（２３ａ）の第一の誘導リブ（２７ａ）よりも低く形設されるとともに、他方の伝熱板（２３ｂ）の第二の誘導リブ（２７ｂ）は、積層状態において一方の伝熱板（２３ａ）の間隔リブ（２４ａ）と第一の誘導リブ（２７ａ）の中央部分に位置するように形設したので、再生空気通路（１１）の通路間隔が中央部でも適正に保持されるとともに、再生空気通路（１１）の通路断面積も広くとれて通風抵抗を低減でき、さらに通路内に結露した水滴もブリッジすることなく円滑に滴下させることができる。
【００１９】
また、本発明が講じた第２の課題解決手段は、上記第１の課題解決手段において、前記伝熱板（２３ａ、２３ｂ）と一体形成された間隔リブ（２４ａ、２４ｂ）によって前記伝熱板（２３ａ、２３ｂ）の積層間隔を保持したものである。
【００２０】
そして、上記第２の課題解決手段は、上記第１の課題解決手段による作用に加えて、次の作用を有する。すなわち、伝熱板（２３ａ、２３ｂ）に一体形成された間隔リブ（２４ａ、２４ｂ）によって積層間隔が保持されるので、積層間隔が精度良く確保されて通風抵抗の増加が抑制される。
【００２１】
また、本発明が講じた第３の課題解決手段は、上記第１または第２のいずれかの課題解決手段において、前記再生空気通路（１１）内に突設する誘導リブ（２７ａ、２７ｂ）を、前記伝熱板（２３ａ、２３ｂ）と一体に形成したものである。
【００２２】
そして、上記第３の課題解決手段は、上記第１または第２のいずれかの課題解決手段による作用に加えて、次の作用を有する。すなわち、再生空気通路（１１）に結露した水滴が再生空気通路（１１）内に突設した誘導リブ（２７ａ、２７ｂ）に沿って円滑に滴下し、再生空気通路（１１）内の水滴滞留が抑制される。
【００２３】
また、本発明が講じた第４の課題解決手段は、上記第３の課題解決手段において、前記誘導リブ（２７ａ、２７ｂ）を、再生空気の送風方向において連続に形成したものである。
【００２４】
そして、上記第４の課題解決手段は、上記第３の課題解決手段による作用に加えて、次の作用を有する。すなわち、誘導リブ（２７ａ、２７ｂ）が再生空気の送風方向において連続に形成されているので、リブ不連続部での水滴滞留が発生せずに再生空気通路（１１）に結露した水滴が速やかに滴下する。
【００２５】
また、本発明が講じた第５の課題解決手段は、上記第１または第２のいずれかの課題解決手段において、前記冷却空気通路（１２）内に突設する整流リブ（２８）を、前記伝熱板（２３ａ、２３ｂ）と一体に形成したものである。
【００２６】
そして、上記第５の課題解決手段は、上記第１または第２のいずれかの課題解決手段による作用に加えて、次の作用を有する。すなわち、冷却空気通路（１２）に供給された冷却空気が整流リブ（２８）に沿って均一に流れることにより再生空気との熱交換効率が向上する。
【００２７】
また、本発明が講じた第６の課題解決手段は、上記第５の課題解決手段において、前記整流リブ（２８）を、大略水平方向に配設された前記冷却空気通路（１２）に、冷却空気の送風方向において不連続に形成したものである。
【００２８】
そして、上記第６の課題解決手段は、上記第５の課題解決手段による作用に加えて、次の作用を有する。すなわち、整流リブ（２８）に沿って流れる冷却空気が整流リブ（２８）の不連続部において均圧して風速分布が平準化し、熱交換効率が更に向上する。
【００２９】
また、本発明が講じた第７の課題解決手段は、上記第１乃至第６のいずれかの課題解決手段において、前記伝熱板（２３ａ、２３ｂ）の外形を、長辺側の対辺と短辺側の対辺を有する多角形状に形成し、長辺側に前記冷却空気通路（１２）を配設して短辺側に前記再生空気通路（１１）を配設したものである。
【００３０】
そして、上記第７の課題解決手段は、上記第１乃至第６のいずれかの課題解決手段による作用に加えて、次の作用を有する。すなわち、長辺側に配設された冷却空気通路（１２）の通路断面積が、短辺側に配設された再生空気通路（１１）の通路断面積よりも広くなるので、冷却空気通路（１２）の通風抵抗が再生空気通路（１１）の通風抵抗よりも低くなり冷却空気を再生空気よりも多く供給することが容易になる。
【００３１】
また、本発明が講じた第８の課題解決手段は、上記第１乃至第６のいずれかの課題解決手段において、前記伝熱板（２３ａ、２３ｂ）の外形を、長辺側の対辺と短辺側の対辺を有する多角形状に形成し、長辺側に前記再生空気通路（１１）を配設して短辺側に前記冷却空気通路（１２）を配設したものである。
【００３２】
そして、上記第８の課題解決手段は、上記第１乃至第６のいずれかの課題解決手段による作用に加えて、次の作用を有する。すなわち、長辺側に配設された再生空気通路（１１）の通路断面積が、短辺側に配設された冷却空気通路（１２）の通路断面積よりも広くなるので、再生空気通路（１１）の通風抵抗が冷却空気通路（１２）の通風抵抗よりも低くなり再生空気を冷却空気よりも多く供給することが容易になる。
【００３３】
また、本発明が講じた第９の課題解決手段は、上記第７または第８のいずれかの課題解決手段において、前記再生空気通路（１１）内を再生空気が鉛直下向きに流れるように前記伝熱板（２３ａ、２３ｂ）を配設したものである。
【００３４】
そして、上記第９の課題解決手段は、上記第７または第８のいずれかの課題解決手段による作用に加えて、次の作用を有する。すなわち、再生空気通路（１１）に結露した水滴が、水滴自身の自重と鉛直下向きに流れる再生空気の風圧によって速やかに滴下し、水滴滞留による通風抵抗の増加が抑制される。
【００３５】
また、本発明が講じた第１０の課題解決手段は、上記第９の課題解決手段において、前記伝熱板（２３ａ、２３ｂ）の前記再生空気通路（１１）の出口側に対応する一辺すべてを出口に到達した水滴が円滑に移動可能なように水平方向に対して傾斜させたものである。
【００３６】
そして、上記第１０の課題解決手段は、上記第９の課題解決手段による作用に加えて、次の作用を有する。すなわち、再生空気通路（１１）に結露して通路出口まで滴下した水滴が、出口側に対応する一辺の傾斜に沿って移動し、傾斜の最下頂点部に集まって大粒となり、表面張力に自重が勝って出口部分から容易に分離するため、再生空気通路（１１）出口部での表面張力による水滴滞留が減少して通路閉塞が抑制される。
【００３７】
また、本発明が講じた第１１の課題解決手段は、上記第９の課題解決手段において、前記伝熱板（２３ａ、２３ｂ）の前記再生空気通路（１１）の入口部は、再生空気の供給方向に対して手前から奥に向けて上り勾配が形成されたものである。
【００３８】
そして、上記第１１の課題解決手段は、上記第９の課題解決手段による作用に加えて、次の作用を有する。すなわち、再生空気通路（１１）の入口側を再生空気の供給方向に対して手前から奥に向けて上り勾配に形成できるため、再生空気通路（１１）に流入する再生空気の風速分布が均一化して熱交換効率が向上する。
【００３９】
また、本発明が講じた第１２の課題解決手段は、上記第１乃至第１１のいずれかの課題解決手段において、前記伝熱板（２３ａ、２３ｂ）の積層方向両端に前記再生空気通路（１１）を配列したものである。
【００４０】
そして、上記第１２の課題解決手段は、上記第１乃至第１１のいずれかの課題解決手段による作用に加えて、次の作用を有する。すなわち、積層方向両端に配列された再生空気通路（１１）内を流れる再生空気と熱交換器（１０）の外周を流れる空気との熱交換が行われて伝熱板（２３ａ、２３ｂ）の全てが伝熱面として有効に作用する。
【００４１】
また、本発明が講じた第１３の課題解決手段は、上記第１乃至第１１のいずれかの課題解決手段において、前記伝熱板（２３ａ、２３ｂ）の積層方向両端に前記冷却空気通路（１２）を配列したものである。
【００４２】
そして、上記第１３の課題解決手段は、上記第１乃至第１１のいずれかの課題解決手段による作用に加えて、次の作用を有する。すなわち、積層方向両端に配列された冷却空気通路（１２）が、その外側に配設される熱交換器（１０）の固定部と、その内側に配列される再生空気通路（１１）内の再生空気とを断熱するため、高温の再生空気による固定部の熱変形が抑制される。
【００４３】
また、本発明が講じた第１４の課題解決手段は、上記第１乃至第１３のいずれかの課題解決手段において、前記伝熱板（２３ａ、２３ｂ）を、熱可塑性樹脂材料からなるシート材（３０）から成形したものである。
【００４４】
そして、上記第１４の課題解決手段は、上記第１乃至第１３のいずれかの課題解決手段による作用に加えて、次の作用を有する。すなわち、すなわち、熱可塑性樹脂材料の成形容易性により、伝熱板（２３ａ、２３ｂ）に一体形成する間隔リブ（２４ａ、２４ｂ）、誘導リブ（２７ａ、２７ｂ）、整流リブ（２８）などの凹凸部の成形が容易になる。
【００４５】
また、本発明が講じた第１５の課題解決手段は、上記第１乃至第１３のいずれかの課題解決手段において、前記伝熱板（２３ａ、２３ｂ）を、熱可塑性樹脂材料にゴム粒子を分散させたシート材（３０）から成形したものである。
【００４６】
そして、上記第１５の課題解決手段は、上記第１乃至第１３のいずれかの課題解決手段による作用に加えて、次の作用を有する。すなわち、すなわち、熱可塑性樹脂材料の成形容易性により、伝熱板（２３ａ、２３ｂ）に一体形成する間隔リブ（２４ａ、２４ｂ）、誘導リブ（２７ａ、２７ｂ）、整流リブ（２８）などの凹凸部の成形が容易となり、また、熱可塑性樹脂材料に分散したゴム粒子の弾性性質により、凹凸部の成形時にひびや割れが発生しにくくなる。
【００４７】
また、本発明が講じた第１６の課題解決手段は、上記第１４または第１５のいずれかの課題解決手段において、前記シート材（３０）の熱可塑性樹脂材料を、ポリスチレンとしたものである。
【００４８】
そして、上記第１６の課題解決手段は、上記第１４または第１５のいずれかの課題解決手段による作用に加えて、次の作用を有する。すなわち、ポリスチレンの寸法安定性により、成形後の凹凸部の寸法収縮が小さくなり、間隔リブ（２４ａ、２４ｂ）が精度良く形成されて再生空気通路（１１）および冷却空気通路（１２）の通路間隔が適正に保持される。
【００４９】
また、本発明が講じた第１７の課題解決手段は、上記第１４または第１５のいずれかの課題解決手段において、前記シート材（３０）の熱可塑性樹脂材料を、ポリプロピレンとしたものである。
【００５０】
そして、上記第１７の課題解決手段は、上記第１４または第１５のいずれかの課題解決手段による作用に加えて、次の作用を有する。すなわち、ポリプロピレンのこしの強さにより、シート材（３０）の成形時や伝熱板（２３ａ、２３ｂ）の積層時に板折れや曲がりが起こりにくくなり、取り扱い性が向上する。
【００５１】
また、本発明が講じた第１８の課題解決手段は、上記第１４または第１５のいずれかの課題解決手段において、前記シート材（３０）の熱可塑性樹脂材料を、ポリカーボネートとしたものである。
【００５２】
そして、上記第１８の課題解決手段は、上記第１４または第１５のいずれかの課題解決手段による作用に加えて、次の作用を有する。すなわち、ポリカーボネートの形状維持性により、積層状態における隣接する伝熱板（２３ａ、２３ｂ）の各々の当接箇所の強度が確保されて再生空気通路（１１）および冷却空気通路（１２）の通路間隔が確実に保持される。
【００５３】
また、本発明が講じた第１９の課題解決手段は、上記第１４または第１５のいずれかの課題解決手段において、前記シート材（３０）の熱可塑性樹脂材料を、ポリエチレンテフタレートとしたものである。
【００５４】
そして、上記第１９の課題解決手段は、上記第１４または第１５のいずれかの課題解決手段による作用に加えて、次の作用を有する。すなわち、ポリエチレンテフタレートの耐熱性により、伝熱板（２３ａ、２３ｂ）の耐熱性が向上し、異常時の温度上昇による伝熱板（２３ａ、２３ｂ）の熱変形が抑制される。
【００５５】
また、本発明が講じた第２０の課題解決手段は、上記第１４または第１５のいずれかの課題解決手段において、前記シート材（３０）の熱可塑性樹脂材料を、アクリロニトリル・ブタジエン・スチレンとしたものである。
【００５６】
そして、上記第２０の課題解決手段は、上記第１４または第１５のいずれかの課題解決手段による作用に加えて、次の作用を有する。すなわち、アクリロニトリル・ブタジエン・スチレンの耐衝撃性により、伝熱板（２３ａ、２３ｂ）の耐衝撃性が向上し、凹凸部の成形時や積層時にひびや割れが発生しにくくなり、伝熱板（２３ａ、２３ｂ）の気密性が確保される。
【００５７】
また、本発明が講じた第２１の課題解決手段は、上記第１４または第１５のいずれかの課題解決手段において、前記シート材（３０）を、ハイインパクトポリスチレンシートとしたものである。
【００５８】
そして、上記第２１の課題解決手段は、上記第１４または第１５のいずれかの課題解決手段による作用に加えて、次の作用を有する。すなわち、ハイインパクトポリスチレンの寸法安定性により、成形後の凹凸部の寸法収縮が小さくなり、間隔リブ（２４ａ、２４ｂ）の寸法精度が向上し、適正な通路間隔が保持され、また、ハイインパクトポリスチレンに含まれるゴム粒子の弾性性質により、凹凸部の成形時におけるひびや割れが発生しにくくなる。
【００５９】
また、本発明が講じた第２２の課題解決手段は、上記第１４乃至第２１のいずれかの課題解決手段において、前記シート材（３０）の厚みを０．０５〜０．５ｍｍの範囲としたものである。
【００６０】
そして、上記第２２の課題解決手段は、上記第１４乃至第２１のいずれかの課題解決手段による作用に加えて、次の作用を有する。すなわち、シート材（３０）の厚みが０．０５〜０．５ｍｍの範囲のため、凹凸部成形時に破れにくくなり、また、伝熱板（２３ａ、２３ｂ）の熱抵抗も小さいので熱交換効率の向上が図られる。
【００６１】
また、本発明が講じた第２３の課題解決手段は、上記第１４乃至第２２のいずれかの課題解決手段において、前記シート材（３０）に抗菌剤を添加したものである。
【００６２】
そして、上記第２３の課題解決手段は、上記第１４乃至第２２のいずれかの課題解決手段による作用に加えて、次の作用を有する。すなわち、シート材（３０）から成形される伝熱板（２３ａ、２３ｂ）に抗菌処理が施されるので、熱交換器（１０）内の水滴残留に起因する菌やカビの発生が抑制される。
【００６３】
また、本発明が講じた第２４の課題解決手段は、上記第１４乃至第２２のいずれかの課題解決手段において、前記シート材（３０）に帯電防止剤を添加したものである。
【００６４】
そして、上記第２４の課題解決手段は、上記第１４乃至第２２のいずれかの課題解決手段による作用に加えて、次の作用を有する。すなわち、シート材（３０）から成形される伝熱板（２３ａ、２３ｂ）に帯電防止処理が施されるので、熱交換器（１０）で回収した凝縮水に帯電しにくくなり、排水作業時の放電現象が抑制される。
【００６５】
また、本発明が講じた第２５の課題解決手段は、上記第１４乃至第２２のいずれかの課題解決手段において、前記シート材（３０）に難燃剤を添加したものである。
【００６６】
そして、上記第２５の課題解決手段は、上記第１４乃至第２２のいずれかの課題解決手段による作用に加えて、次の作用を有する。すなわち、すなわち、シート材（３０）から成形される伝熱板（２３ａ、２３ｂ）に難燃処理が施されるので、異常時の温度上昇による伝熱板（２３ａ、２３ｂ）の熱変形が抑制される。
【００６７】
また、本発明が講じた第２６の課題解決手段は、上記第１４乃至第２２のいずれかの課題解決手段において、前記シート材（３０）に脱臭剤を添加したものである。
【００６８】
そして、上記第２６の課題解決手段は、上記第１４乃至第２２のいずれかの課題解決手段による作用に加えて、次の作用を有する。すなわち、シート材（３０）から成形される伝熱板（２３ａ、２３ｂ）に脱臭処理が施されるので、熱交換器（１０）内の残留水滴や熱交換器（１０）に混入した異物からの臭気発生が抑制される。
【００６９】
また、本発明が講じた第２７の課題解決手段は、上記第１４乃至第２２のいずれかの課題解決手段において、前記シート材（３０）の表面を撥水性としたものである。
【００７０】
そして、上記第２７の課題解決手段は、上記第１４乃至第２２のいずれかの課題解決手段による作用に加えて、次の作用を有する。すなわち、シート材（３０）から成形される伝熱板（２３ａ、２３ｂ）の表面が撥水性を有するので、再生空気通路（１１）に結露した水滴の接触角が大きくなり、水滴が速やかに滴下する。
【００７１】
また、本発明が講じた第２８の課題解決手段は、上記第１４乃至第２２のいずれかの課題解決手段において、前記シート材（３０）の表面を親水性としたものである。
【００７２】
そして、上記第２８の課題解決手段は、上記第１４乃至第２２のいずれかの課題解決手段による作用に加えて、次の作用を有する。すなわち、シート材（３０）から成形される伝熱板（２３ａ、２３ｂ）の表面が親水性を有するので、再生空気通路（１１）に結露した水滴が液膜状に広がり、水滴のブリッジ現象が抑制される。
【発明の効果】
【００７３】
本発明の請求項１記載の除湿装置は、かかる構成とすることにより、次に記載する効果を奏する。すなわち、複数枚の伝熱板（２３ａ、２３ｂ）の通路開口以外の端面を隣り合う同士で溶着して、接着剤を用いずに伝熱板（２３ａ、２３ｂ）の積層状態を強固に固定するとともに再生空気通路（１１）と冷却空気通路（１２）の気密性を確保することができる。また、各々の伝熱板（２３ａ、２３ｂ）一枚のみを介して再生空気と冷却空気を熱交換させることにより熱抵抗を抑えて熱交換効率を向上することができる。また、接着剤や間隔板などの別部品を設けずに伝熱面を密に形成して熱交換器（１０）の小型軽量化を図ることができる。また、間隔板や通路分割板などの頂角部分を設けずに表面張力による水滴滞留を抑制し、凝縮した水滴を円滑に滴下させることができる。また、熱交換器（１０）において高効率な熱交換を行って再生空気の飽和水蒸気量を小さくし、加熱器（９）に戻すことにより、除湿ローター（２）の水分放出量および熱交換器（１０）での凝縮水回収量を増加させるとともに空気漏洩による除湿量低下を抑制して除湿効率（除湿した水分の凝縮潜熱量／除湿に要するエネルギー量）を向上することができる。
さらにまた、再生空気通路を再生空気の入口側が上部に、かつ再生空気の出口側が下部となるように鉛直方向に配設し、誘導リブ（２７ａ、２７ｂ）を再生空気の送風方向に形成したので、再生空気通路（１１）に結露した水滴を速やかに滴下させることができる。
さらにまた、一方の伝熱板（２３ａ）の第一の誘導リブ（２７ａ）のリブ高さを一方の伝熱板（２３ａ）の間隔リブ（２４ａ）と同一とし、他方の伝熱板（２３ｂ）の第二の誘導リブ（２７ｂ）のリブの高さは、一方の伝熱板（２３ａ）の第一の誘導リブ（２７ａ）よりも低く形設されるとともに、他方の伝熱板（２３ｂ）の第二の誘導リブ（２７ｂ）は、積層状態において一方の伝熱板（２３ａ）の間隔リブ（２４ａ）と第一の誘導リブ（２７ａ）の中央部分に位置するように形設したので、再生空気通路（１１）の通路間隔が中央部でも適正に保持されるとともに、再生空気通路（１１）の通路断面積も広くとれて通風抵抗を低減でき、さらに通路内に結露した水滴もブリッジすることなく円滑に滴下させることができる。
【００７４】
また、本発明の請求項２記載の除湿装置は、かかる構成とすることにより、上記請求項１記載の除湿装置が奏する効果に加えて、次に記載する効果を奏する。すわなち、複数枚の伝熱板（２３ａ、２３ｂ）と一体で形成した間隔リブ（２４ａ、２４ｂ）により、再生空気通路（１１）および冷却空気通路（１２）の通路間隔を適正に確保して通風抵抗の増加を抑制することができる。
【００７５】
また、本発明の請求項３記載の除湿装置は、かかる構成とすることにより、上記請求項１または２のいずれか１項記載の除湿装置が奏する効果に加えて、次に記載する効果を奏する。すなわち、再生空気通路（１１）に結露した水滴を誘導リブ（２７ａ、２７ｂ）に沿わせて円滑に滴下させ再生空気通路（１１）内の水滴滞留を抑制することができる。
【００７６】
また、本発明の請求項４記載の除湿装置は、かかる構成とすることにより、上記請求項３記載の除湿装置が奏する効果に加えて、次に記載する効果を奏する。すなわち、誘導リブ（２７ａ、２７ｂ）を再生空気の送風方向において連続に形成したので、リブ不連続部での水滴滞留を抑制し、再生空気通路（１１）に結露した水滴を速やかに滴下させることができる。
【００７７】
また、本発明の請求項５記載の除湿装置は、かかる構成とすることにより、上記請求項１または２のいずれか１項記載の除湿装置が奏する効果に加えて、次に記載する効果を奏する。すなわち、冷却空気通路（１２）に供給された冷却空気を整流リブ（２８）に沿わせて均一に流し、再生空気との熱交換効率を向上することができる。
【００７８】
また、本発明の請求項６記載の除湿装置は、かかる構成とすることにより、上記請求項５記載の除湿装置が奏する効果に加えて、次に記載する効果を奏する。すなわち、整流リブ（２８）に沿って流れる冷却空気を整流リブ（２８）の不連続部において均圧して風速分布を平準化し、熱交換効率を更に向上することができる。
【００７９】
また、本発明の請求項７記載の除湿装置は、かかる構成とすることにより、上記請求項１乃至６のいずれか１項記載の除湿装置が奏する効果に加えて、次に記載する効果を奏する。すなわち、冷却空気通路（１２）の通路断面積を再生空気通路（１１）の通路断面積よりも広くし、冷却空気通路（１２）の通風抵抗を再生空気通路（１１）の通風抵抗よりも小さくすることで再生空気よりも多くの冷却空気を容易に供給することができる。
【００８０】
また、本発明の請求項８記載の除湿装置は、かかる構成とすることにより、上記請求項１乃至６のいずれか１項記載の除湿装置が奏する効果に加えて、次に記載する効果を奏する。すなわち、再生空気通路（１１）の通路断面積を冷却空気通路（１２）の通路断面積よりも広くして再生空気通路（１１）の通風抵抗を冷却空気通路（１２）の通風抵抗よりも小さくし、冷却空気よりも多くの再生空気を容易に供給することができる。
【００８１】
また、本発明の請求項９記載の除湿装置は、かかる構成とすることにより、上記請求項７または８のいずれか１項記載の除湿装置が奏する効果に加えて、次に記載する効果を奏する。すなわち、再生空気通路（１１）に結露した水滴を水滴自身の自重と鉛直下向きに流れる再生空気の風圧により速やかに滴下させ、水滴滞留による通風抵抗の増加を抑制することができる。
【００８２】
また、本発明の請求項１０記載の除湿装置は、かかる構成とすることにより、上記請求項９記載の除湿装置が奏する効果に加えて、次に記載する効果を奏する。すなわち、再生空気通路（１１）に結露して通路出口まで滴下した水滴を出口側に対応する一辺の傾斜に沿わせて最下頂点部まで移動させて大粒にし、自重により出口部分から容易に分離させ、表面張力による水滴滞留を減らして通路閉塞を抑制することができる。
【００８３】
また、本発明の請求項１１記載の除湿装置は、かかる構成とすることにより、上記請求項９記載の除湿装置が奏する効果に加えて、次に記載する効果を奏する。すなわち、再生空気通路（１１）の入口側を再生空気の供給方向に対して手前から奥に向けて上り勾配に形成し、再生空気通路（１１）に流入する再生空気の風速分布を均一化して熱交換効率を向上することができる。
【００８４】
また、本発明の請求項１２記載の除湿装置は、かかる構成とすることにより、上記請求項１乃至１１のいずれか１項記載の除湿装置が奏する効果に加えて、次に記載する効果を奏する。すなわち、積層方向両端に配列された再生空気通路（１１）内を流れる再生空気と熱交換器（１０）の外周を流れる空気との熱交換を図り、伝熱板（２３ａ、２３ｂ）の全てを伝熱面として有効に作用させることができる。
【００８５】
また、本発明の請求項１３記載の除湿装置は、かかる構成とすることにより、上記請求項１乃至１１のいずれか１項記載の除湿装置が奏する効果に加えて、次に記載する効果を奏する。すなわち、積層方向両端に配列した冷却空気通路（１２）によって、その外側に配設される熱交換器（１０）の固定部と、その内側に配列される再生空気通路（１１）内の再生空気との断熱を図り、高温の再生空気による固定部の熱変形を抑制することができる。
【００８６】
また、本発明の請求項１４記載の除湿装置は、かかる構成とすることにより、上記請求項１乃至１３のいずれか１項記載の除湿装置が奏する効果に加えて、次に記載する効果を奏する。すなわち、熱可塑性樹脂材料の成形容易性により、伝熱板（２３ａ、２３ｂ）に一体形成する間隔リブ（２４ａ、２４ｂ）、誘導リブ（２７ａ、２７ｂ）、整流リブ（２８）などの凹凸部の成形性を向上することができる。
【００８７】
また、本発明の請求項１５記載の除湿装置は、かかる構成とすることにより、上記請求項１乃至１３のいずれか１項記載の除湿装置が奏する効果に加えて、次に記載する効果を奏する。すなわち、熱可塑性樹脂材料の成形容易性により、伝熱板（２３ａ、２３ｂ）に一体形成する間隔リブ（２４ａ、２４ｂ）、誘導リブ（２７ａ、２７ｂ）、整流リブ（２８）などの凹凸部の成形性を向上でき、また、熱可塑性樹脂材料に分散したゴム粒子の弾性性質により、凹凸部の成形時のひびや割れの発生を抑制することができる。
【００８８】
また、本発明の請求項１６記載の除湿装置は、かかる構成とすることにより、上記請求項１４または１５のいずれか１項記載の除湿装置が奏する効果に加えて、次に記載する効果を奏する。すなわち、ポリスチレンの寸法安定性により、成形後の凹凸部の寸法収縮を抑え、間隔リブ（２４ａ、２４ｂ）を精度良く形成し、再生空気通路（１１）および冷却空気通路（１２）の通路間隔を適正に保持することができる。
【００８９】
また、本発明の請求項１７記載の除湿装置は、かかる構成とすることにより、上記請求項１４または１５いずれか１項記載の除湿装置が奏する効果に加えて、次に記載する効果を奏する。すなわち、ポリプロピレンのこしの強さにより、シート材（３０）成形時や伝熱板（２３ａ、２３ｂ）積層時における板折れや曲がりの発生を抑制し、取り扱い性を向上することができる。
【００９０】
また、本発明の請求項１８記載の除湿装置は、かかる構成とすることにより、上記請求項１４または１５のいずれか１項記載の除湿装置が奏する効果に加えて、次に記載する効果を奏する。すなわち、ポリカーボネートの形状維持性により、積層状態において隣接する伝熱板（２３ａ、２３ｂ）の各々の当接箇所の強度を確保し、再生空気通路（１１）および冷却空気通路（１２）の通路間隔を確実に保持することができる。
【００９１】
また、本発明の請求項１９記載の除湿装置は、かかる構成とすることにより、上記請求項１４または１５のいずれか１項記載の除湿装置が奏する効果に加えて、次に記載する効果を奏する。すなわち、ポリエチレンテフタレートの耐熱性により、伝熱板（２３ａ、２３ｂ）の耐熱性を向上させ、異常時の温度上昇による伝熱板（２３ａ、２３ｂ）の熱変形を抑制することができる。
【００９２】
また、本発明の請求項２０記載の除湿装置は、かかる構成とすることにより、上記請求項１４または１５のいずれか１項記載の除湿装置が奏する効果に加えて、次に記載する効果を奏する。すなわち、アクリロニトリル・ブタジエン・スチレンの耐衝撃性により、伝熱板（２３ａ、２３ｂ）の対衝撃性を向上させ、凹凸部の成形時や積層時のひびや割れの発生を抑制し、伝熱板（２３ａ、２３ｂ）の気密性を確保することができる。
【００９３】
また、本発明の請求項２１記載の除湿装置は、かかる構成とすることにより、上記請求項１４または１５のいずれか１項記載の除湿装置が奏する効果に加えて、次に記載する効果を奏する。すなわち、ハイインパクトポリスチレンの寸法安定性により、成形後の凹凸部の寸法収縮を抑え、間隔リブ（２４ａ、２４ｂ）を精度良く形成して再生空気通路（１１）および冷却空気通路（１２）の通路間隔を適正に保持するとともに、ハイインパクトポリスチレンに含まれるゴム粒子の弾性性質により、凹凸部成形時のひびや割れの発生を抑制することができる。
【００９４】
また、本発明の請求項２２記載の除湿装置は、かかる構成とすることにより、上記請求項１４乃至２１のいずれか１項記載の除湿装置が奏する効果に加えて、次に記載する効果を奏する。すなわち、シート材（３０）の厚みが０．０５〜０．５ｍｍの範囲のため、凹凸部成形時に破れにくくできるとともに、伝熱板（２３ａ、２３ｂ）の熱抵抗を少なくして熱交換効率を向上することができる。
【００９５】
また、本発明の請求項２３記載の除湿装置は、かかる構成とすることにより、上記請求項１４乃至２２のいずれか１項記載の除湿装置が奏する効果に加えて、次に記載する効果を奏する。すなわち、伝熱板（２３ａ、２３ｂ）に抗菌処理が施されるので、熱交換器（１０）内の水滴残留に起因する菌やカビの発生を抑制することができる。
【００９６】
また、本発明の請求項２４記載の除湿装置は、かかる構成とすることにより、上記請求項１４乃至２２のいずれか１項記載の除湿装置が奏する効果に加えて、次に記載する効果を奏する。すなわち、伝熱板（２３ａ、２３ｂ）に帯電防止処理が施されるので、熱交換器（１０）で回収した凝縮水に帯電しにくくして、排水作業時の放電現象を抑制することができる。
【００９７】
また、本発明の請求項２５記載の除湿装置は、かかる構成とすることにより、上記請求項１４乃至２２のいずれか１項記載の除湿装置が奏する効果に加えて、次に記載する効果を奏する。すなわち、伝熱板（２３ａ、２３ｂ）に難燃処理が施されるので、異常時の温度上昇による伝熱板（２３ａ、２３ｂ）の熱変形を抑制することができる。
【００９８】
また、本発明の請求項２６記載の除湿装置は、かかる構成とすることにより、上記請求項１４乃至２２のいずれか１項記載の除湿装置が奏する効果に加えて、次に記載する効果を奏する。すなわち、伝熱板（２３ａ、２３ｂ）に脱臭処理が施されるので、熱交換器（１０）内の残留水滴や熱交換器（１０）に混入した異物からの臭気発生を抑制することができる。
【００９９】
また、本発明の請求項２７記載の除湿装置は、かかる構成とすることにより、上記請求項１４乃至２２のいずれか１項記載の除湿装置が奏する効果に加えて、次に記載する効果を奏する。すなわち、伝熱板（２３ａ、２３ｂ）の表面を撥水性にして再生空気通路（１１）に結露した水滴の接触角を大きくし、水滴を速やかに滴下させることができる。
【０１００】
また、本発明の請求項２８記載の除湿装置は、かかる構成とすることにより、上記請求項１４乃至２２のいずれか１項記載の除湿装置が奏する効果に加えて、次に記載する効果を奏する。すなわち、伝熱板（２３ａ、２３ｂ）の表面を親水性にして再生空気通路（１１）に結露した水滴を液膜状に広げ、水滴のブリッジ現象を抑制することができる。
【発明を実施するための最良の形態】
【０１０１】
以下、本発明の実施の形態を図１〜５に基づいて説明する。
【０１０２】
図１は、本発明の実施の形態にかかる除湿装置の概略断面図である。図１に示すように、本体１の内部に、空気から吸湿する除湿ローター２を回転可能に立設するとともに、本体１の側面に開口した吸込口３から処理ファン４により空気を吸引して除湿ローター２に供給し、本体１の上部に開口した吹出口５から排出する吸湿経路６を形設している。また、再生ファン７によって供給される再生空気が除湿ローター２を循環するように循環経路８を形成し、この循環経路８の除湿ローター２の風上側近傍に再生空気を加熱する加熱器９を配設している。この加熱器９としては、発熱動作を行い得るものであれよく、例えば、ニクロムヒーター、ハロゲンヒーター、カーボンヒーター、シーズヒーター、ＰＴＣヒーター等を用いることができる。また、循環経路８の除湿ローター２の風下側かつ吸湿経路６の風上側に概略台形状の熱交換器１０を配設して、この熱交換器１０に、循環経路８の一画を形成し再生空気を通す再生空気通路１１と、吸湿経路６を流れる空気を通す冷却空気通路１２を形設している。この再生空気通路１１は、再生空気の入口側が上部に、かつ再生空気の出口側が下部となるように鉛直方向に配設されており、再生空気通路１１の空気入口側は、再生空気通路１１に供給される再生空気が方向転換なく流入可能なように再生空気の供給方向に対して手前から奥に向けて約１０°の上り勾配の傾斜を持たせ、また、再生空気通路１１の再生空気出口側は、通路出口に到達した水滴が円滑に移動可能なように水平方向に対して約１０°の傾斜を持たせている。これら傾斜角度は、構成に応じて適宜設定可能であるが、後述する通路入口側の風速分布均一化作用と通路出口側の水滴移動作用を満足するには、少なくとも５°以上の傾斜角度に設定することが望ましい。また、再生空気通路１１内を流れる再生空気と熱交換する冷却空気を流す冷却空気通路１２は、大略水平方向に配設されており、再生空気と冷却空気が略直交方向に交差して熱交換を行うように構成されている。そして、再生空気通路１１の出口側と再生ファン７を接続する経路中には循環経路８から凝縮水を排水するための排水口１３を開口し、排水口１３の下方に凝縮水を受けて貯留するための排水タンク１４を着脱自在に配設している。
【０１０３】
上記構成において、吸湿経路６では、処理ファン４によって供給される空気から除湿ローター２が吸湿し、除湿ローター２に水分を吸湿除去された乾燥空気が吹出口５から本体１外部に供給される。吸湿経路６で水分を吸湿した除湿ローター２は、循環経路８に回転移動し、加熱器９で加熱された高温の再生空気に水分を放出して吸湿可能に再生する。除湿ローター２は吸湿経路６と循環経路８に跨設して連続的に回転しており、吸湿経路６における水分吸湿と循環経路８における放出再生を連続的に繰り返している。一方、除湿ローター２が放出した水分を含んで高湿となった再生空気は、熱交換器１０の再生空気通路１１に供給される。再生空気通路１１の入口部は、再生空気の供給方向に対して手前から奥に向けて上り勾配が形成されているので、再生空気通路１１内に供給される再生空気の風速分布の均一化が図られる。再生空気通路１１に供給された再生空気は、処理ファン４によって吸込口３から冷却空気通路１２に供給された冷却空気と熱交換し、この熱交換過程において再生空気は冷却されて飽和水蒸気量が下がり水分が飽和する。この飽和した水分は再生空気通路１１内に結露し、再生空気通路１１内を下向きに流れる再生空気の風圧と水滴自身の自重により円滑に滴下する。再生空気通路１１内を滴下して通路出口まで到達した水滴は、通路出口部に形成された傾斜に沿って最下頂点部１５まで移動するので、通路出口部の表面張力による水滴滞留が抑制される。最下頂点部１５に順次移動した水滴は大粒となり、その自重により通路から分離して排水タンク１４に滴下し、凝縮水として回収される。熱交換器１０において水分を冷却除去された再生空気は、再生ファン７に吸込まれ、再び加熱器９に供給されて循環経路８を循環する。
【０１０４】
図２は、除湿ローター２の詳細構成を示す概略分解斜視図である。除湿ローター２は、セラミック繊維、ガラス繊維等の無機繊維、もしくはそれら無機繊維とパルプとを混合して抄造した平面紙と、コルゲート加工を施した波型紙を巻装したコルゲート構造の円盤体に、吸湿剤、例えば、シリカゲル、ゼオライトなどの無機質の吸着型吸湿剤、有機高分子電解質、すなわちイオン交換樹脂などの吸湿剤、塩化リチウムなどの吸収型吸湿剤を１種類もしくは２種類以上を複合して担持したもので、軸方向に通風可能に構成されている。この除湿ローター２を、外周に歯車部１６を周設したフレームＡ１７と、複数本のリブを放射状に架橋したフレームＢ１８で、両軸側から挟み込んで収納し、フレームＡ１７とフレームＢ１８を外周から複数螺子止めするとともに、除湿ローター２の中心穴１９に嵌挿する軸受部２０とフレームＢ１８の中心部分を螺子止めして除湿ローター２の固定および保持を行っている。そしてフレームＡ１７の歯車部１６に駆動モーター２１のギア２２を噛み合せて、駆動モーター２１を回転することにより、除湿ローター２の回転動作が為される。この時、除湿ローター２の回転速度は毎時１０回転から４０回転程度に設定される。また、フレームＢ１８に形成されたリブの高さが、除湿ローター２の表面とリブ先端との間に形成される空間の容積を決定し、この空間容積が吸湿経路６と循環経路８の空気漏洩量に影響するので、フレームＢ１８は、薄い板厚でリブの強度を確保できる材料、例えば、板厚０．４〜１．０ｍｍ程度のステンレス鋼板に、プレス加工、曲げ加工を施してリブを形成し、構成することが好ましい。このようにすると吸湿経路６と循環経路８の空気漏洩を抑制することができる。また、除湿ローター２の回転方法は、上記構成に限るものではなく、例えば、除湿ローター２の中心部に駆動モーター２１を連結して直接回転させるように構成してもよく、また、除湿ローター２の外周に周設したギアにベルトをかけて、ベルトを介して駆動モーター２１を連結し回転動作を行うように構成してもよい。
【０１０５】
図３は、熱交換器１０の詳細構成を示す概略分解斜視図である。熱交換器１０は、薄板、例えば、厚み０．０５〜０．５ｍｍの範囲のシート材に凹凸部を所定のパターンで形成した伝熱板２３ａと、同様の薄板に伝熱板２３ａと異なる凹凸部のパターンを形成した伝熱板２３ｂを交互に複数枚積層して構成される。この伝熱板２３ａおよび伝熱板２３ｂの板厚は、後述する凹凸部の成形性、強度および形状維持性の面から０．０５ｍｍ以上であることが望ましく、また、伝熱性確保の面から０．５ｍｍ以下であることが望ましい。そして、積層した伝熱板２３ａおよび伝熱板２３ｂの各々の間隙に再生空気と冷却空気を交互に流すことにより再生空気通路１１と冷却空気通路１２を一段おきに形成し、この再生空気通路１１を流れる再生空気と冷却空気通路１２を流れる冷却空気を伝熱板２３ａおよび伝熱板２３ｂの各々を介して熱交換させるものである。したがって熱交換阻害要因は伝熱板２３ａおよび伝熱板２３ｂの一枚分の熱抵抗のみであり再生空気と冷却空気が高効率な熱交換を行うことができる。伝熱板２３ａおよび伝熱板２３ｂは、実際は、合計２０枚〜６０枚程度を積層するが、簡略のため伝熱板２３ａおよび伝熱板２３ｂの各々２枚ずつを積層方向において分解して図示している。
【０１０６】
伝熱板２３ａおよび伝熱板２３ｂは、長辺側と短辺側の二組の対辺を有する概略台形状の平面形状を有しており、長辺側の対辺を鉛直方向平行状態に形成し、短辺側の対辺を水平方向に対して約１０°傾斜するように形成している。伝熱板２３ａには、長辺側の対辺各々に沿って、幅４ｍｍ程度の中空凸状の間隔リブ２４ａを突設しており、また、伝熱板２３ｂには短辺側の対辺各々に沿って伝熱板２３ａと同様に幅４ｍｍ程度の中空凸状の間隔リブ２４ｂを突設している。伝熱板２３ａの間隔リブ２４ａは、凸状の高さが３ｍｍ程度に形成され、この間隔リブ２４ａの突設面が積層状態において伝熱板２３ｂに当接することにより、再生空気通路１１の通路間隔が所定寸法、すなわち約３ｍｍに規定されて保持される。一方、伝熱板２３ｂの間隔リブ２４ｂは、凸状の高さが２ｍｍ程度に形成され、この間隔リブ２４ｂの突設面が積層状態において伝熱板２３ａに当接することにより、冷却空気通路１２の通路間隔が所定寸法、すなわち約２ｍｍに規定されて保持される。また、間隔リブ２４ａは、積層状態で伝熱板２３ｂに突設した間隔リブ２４ｂと重なる両端の角部２５を、間隔リブ２４ｂの高さ分、即ち２ｍｍ程度更に突設させて、この角部２５を間隔リブ２４ｂの裏面中空凹状部分に勘合させ、突設面全てが伝熱板２３ｂに当接するように形成している。同様に間隔リブ２４ｂも、積層状態で伝熱板２３ａに突設した間隔リブ２４ａと重なる両端の角部２６を、間隔リブ２４ａの高さ分、即ち３ｍｍ程度更に突設させて、この角部２６を間隔リブ２４ａの裏面中空凹状部分に勘合させて突設面全てが伝熱板２３ａに当接するように形成している。このように間隔リブ２４ａおよび間隔リブ２４ｂは、その突設面全体を隣接する伝熱板２３ｂおよび伝熱板２３ａに当接するように形設され、これにより積層状態において再生空気通路１１の通路間隔が適正な所定の寸法、即ち約３ｍｍに保持され、また、冷却空気通路１２の通路間隔も同様に適正な所定の寸法、即ち約２ｍｍに保持されることになる。このように伝熱板２３ａに突設した間隔リブ２４ａのリブ高さにより再生空気通路１１側の積層間隔が規定され、また伝熱板２３ｂに突設した間隔リブ２４ｂのリブ高さにより冷却空気通路１２側の積層間隔が規定される。
【０１０７】
また、伝熱板２３ａの水平方向中央部には、間隔リブ２４ａと同一方向に幅２ｍｍ程度の中空凸状の誘導リブ２７ａを連続に形成し、伝熱板２３ｂの鉛直方向には、間隔リブ２４ｂの逆方向に突設する幅２ｍｍ程度の中空凸状の誘導リブ２７ｂを連続に２本形成している。この誘導リブ２７ｂは、積層状態において間隔リブ２４ａと誘導リブ２７ａの中央部分に位置するように形設されている。したがって積層状態において誘導リブ２７ａおよび誘導リブ２７ｂは、再生空気通路１１内に両面側よりリブ間隔が略等間隔となるように、かつ再生空気の送風方向に対して連続的に突設形成されるので、再生空気通路１１に結露した水滴が誘導リブ２７ａおよび誘導リブ２７ｂに沿って速やかに滴下し、再生空気通路１１内の水滴滞留が抑制されることになる。この誘導リブ２７ａおよび誘導リブ２７ｂのリブ高さは、間隔リブ２４ａ以下であれば適宜設定可能であるが、再生空気通路１１の間隔保持状況や水滴滴下状況に基づいて設定することが望ましい。例えば、誘導リブ２７ａのリブ高さを間隔リブ２４ａと同一の３ｍｍ程度に設定し、誘導リブ２７ｂのリブ高さを誘導リブ２７ａよりも低い１ｍｍ程度に設定すると、再生空気通路１１の通路間隔が中央部でも適正に保持されるとともに、再生空気通路１１の通路断面積も広くとれて通風抵抗を低減でき、さらに通路内に結露した水滴もブリッジすることなく円滑に滴下させることができる。
【０１０８】
また、伝熱板２３ｂには水平方向に略等間隔に幅１ｍｍ程度の中空凸状の整流リブ２８を、間隔リブ２４ｂと同一方向に複数本突設させており、この整流リブ２８の突設面は、伝熱板２３ｂの逆面側に突設した誘導リブ２７ｂ中空凹部分において不連続となるように形成されている。したがって整流リブ２８は、伝熱板積層状態において伝熱板２３ｂ側から冷却空気通路１２内に突設して、かつ冷却空気の送風方向に対して不連続に形設されるので、冷却空気通路１２に供給された冷却空気が、整流リブ２８に沿って均一に流れるとともに、整流リブ２８の不連続部において均圧して風速分布が平準化し、再生空気との高効率な熱交換が行われることになる。この整流リブ２８のリブ高さは、間隔リブ２４ｂ以下であれば適宜設定可能であるが、例えば、整流リブ２８を間隔リブ２４ｂと同一のリブ高さ、すなわち２ｍｍ程度に設定すると、冷却空気の風速分布均一化を図るとともに冷却空気通路１２の通路間隔保持作用も兼ねることができる。
【０１０９】
さらに伝熱板２３ａには、積層時に伝熱板２３ｂに形成した間隔リブ２４ｂに被さる溶融部２９ａを形成し、また、伝熱板２３ｂには、積層時に伝熱板２３ａに形成した間隔リブ２３ｂに被さる溶融部２９ｂを形成している。そして伝熱板２３ａおよび伝熱板２３ｂを所定枚数積層した積層状態において、間隔リブ２４ｂに被さった溶融部２９ａにヒーターなどにより熱を加えて、間隔リブ２４ｂと溶融部２９ａを溶かして接合すると、冷却空気通路１２の通路開口以外の端面が溶着することになり、冷却空気通路１２の気密性が確保される。同様に積層状態において、間隔リブ２４ａに被さった溶融部２９ｂにヒーターなどにより熱を加えて、間隔リブ２４ａと溶融部２９ｂを溶かして接合すると、再生空気通路１１の通路開口以外の端面が溶着することになり、再生空気通路１１の気密性が確保される。このようにして伝熱板２３ａおよび伝熱板２３ｂの隣り合う同士の通路開口部以外の端面を溶着し、接着剤を用いずに伝熱板２３ａおよび伝熱板２３ｂの積層状態を強固に固定するとともに再生空気通路１１と冷却空気通路１２の気密性を確保するようにしている。
【０１１０】
以上のように熱交換器１０は、間隔リブ２４ａおよび間隔リブ２４ｂ、誘導リブ２７ａおよび誘導リブ２７ｂ、整流リブ２８、溶融部２９ａおよび溶融部２９ｂなどの凹凸部が形成された概略台形状の伝熱板２３ａおよび伝熱板２３ｂを交互に積層して構成されるものであり、台形の短辺側の対辺に再生空気通路１１が配設され、再生空気通路１１と概略直交する長辺側の対辺に冷却通路１２が配設される構成となる。したがって、冷却空気通路１２の通路断面積が、再生空気通路１１の通路断面積よりも広く形成されて冷却空気通路１２の通風抵抗が再生空気通路１１の通風抵抗よりも低くなり、再生空気よりも多くの冷却空気を容易に供給することができる。これにより再生空気を多量の冷却空気で冷却することが可能となるので、この冷却過程で再生空気の温度を更に低下させて飽和水蒸気量を小さくすることができる。また、再生空気通路１１と冷却空気通路１２の通路断面積は、伝熱板２３ａおよび伝熱板２３ｂの平面形状の変更により、装置の構成に応じて適宜設定することができる。例えば、冷却空気をあまり流せない装置構成に対応する場合は、台形の短辺側に冷却空気通路１２を配し、長辺側に再生空気通路１１を配設することで、冷却空気通路１２の断面積を再生空気通路１１の断面積に対して狭くして、冷却空気通路１２と再生空気通路１１の通路抵抗を、却空気と再生空気の風量に応じた通風抵抗に調整することができる。
【０１１１】
また、熱交換器１０は、伝熱板２３ａと伝熱板２３ｂの積層パターンによって、再生空気通路１１と冷却空気通路１２の配列を装置構成に応じて調整することが可能である。例えば、間隔リブ２４ａおよび間隔リブ２４ｂの突設面側に順に積層していくと仮定すると、図３のように伝熱板２３ａから始めて、伝熱板２３ｂと伝熱板２３ａを交互に同枚数積層すると、積層方向の両端側に再生空気通路１１が配列される。このような配列パターンで熱交換器１０を構成し、熱交換器１０の積層方向外周に空気が流れるように装置を構成すると、積層方向の両端に配列された再生空気通路１１を流れる再生空気と熱交換器１０の外周を流れる空気との熱交換が行われ、伝熱板２３ａおよび伝熱板２３ｂの全てが伝熱面として作用することになる。逆に伝熱板２３ｂから初めて、伝熱板２３ａと伝熱板２３ｂを交互に同枚数積層すると、積層方向の両端側に冷却空気通路１２が配列される。このような配列パターンで熱交換器１０を構成し、熱交換器１０の積層方向外周に熱交換器１０を保持する固定部などを配設すると、積層方向両端に配列した冷却空気通路１２によって、その外側に配設される固定部と、その内側に配列される再生空気通路１１を流れる再生空気とが断熱されて、高温の再生空気による固定部の熱変形が抑制されることになる。
【０１１２】
図４は、伝熱板の成形方法を示す概略工程図である。図４（ａ）に示すように平板状のシート材３０を加熱して柔らかくし、凹凸部を形設した真空成形金型３１に乗せて、図示しない真空ポンプによりシート材３０を真空成形金型３１に張付けて成形する。これにより図４（ｂ）に示すようにシート材３０に凹凸部が形成される。この真空成形金型３１には、伝熱板２３ａに一体形成される間隔リブ２４ａ、誘導リブ２７ａ、溶融部２９ａの凹凸形状に相当する凹凸パターン３２ａと、伝熱板２３ｂに一体形成される間隔リブ２４ｂ、誘導リブ２７ｂ、整流リブ２８、溶融部２９ｂの凹凸形状に相当する凹凸パターン３２ｂの二種類の凹凸パターンが形設されており、一回の成形作業でシート材３０に凹凸部３３ａと凹凸部３３ｂが同時に成形される。そしてこの凹凸部３３ａおよび凹凸３３ｂが成形されたシート材３０を、図４（ｃ）に示すように、伝熱板２３ａおよび伝熱板２３ｂの各々の外周形状と等しい形状の抜き刃３４を備えた抜き型３５を押し付けて切断することにより、凹凸部３３ａが成形された伝熱板２３ａと凹凸部３３ｂが成形された伝熱板２３ｂが同時に切断形成される。この切断加工を凹凸部が成形されたシート材３０の複数枚に施して、伝熱板２３ａおよび伝熱板２３ｂを各々所定枚数製作するようにしている。
【０１１３】
このシート材３０は、厚みが０．０５〜０．５ｍｍの範囲のものを使用することが好ましい。その理由としては、厚みが０．０５ｍｍ未満では、凹凸部成形時の伸縮や成形後のシート材３０の強度低下によってシート材３０に破れなどの破損が発生しやすく、成形された伝熱板２３ａ、２３ｂもこしが弱くて形状維持が困難であり、また、厚みが０．５ｍｍを超えると熱抵抗の増加により伝熱性が大きく低下するためである。このようにシート材３０の厚みが薄くなるほど成形性、強度、形状維持性が低下する傾向にあり、逆にシート材３０の厚みが厚くなるほど、伝熱性が低下する傾向にある。したがって成形性、強度、形状維持性および伝熱性を満足するには、シート材３０の厚みは、０．０５〜０．５ｍｍの範囲であることが好ましく、さらには０．１〜０．３ｍｍの範囲であることが最も望ましい。
【０１１４】
また、シート材３０の素材としては、熱可塑性の樹脂材料を用いることが望ましい。このような材料を用いると、シート材３０が熱可塑性を有することになり、真空成形時に加熱されて十分に柔らかくなって真空成形金型３１に円滑に張り付き、凹凸部３３ａおよび凹凸部３３ｂの成形が容易となるためである。
【０１１５】
さらに、シート材３０は、熱可塑性樹脂材料にゴム粒子を分散させた素材でもよい。このような素材にすると、熱可塑性樹脂の成形容易性に加え、シート材３０に分散したゴムの弾性性質により、真空成形金型３１に張り付く際にシート材３０に割れやひびが発生しにくくなり、伝熱板２３ａおよび伝熱板２３ｂの気密性が確保される。例えば、シート材３０として、ハイインパクトポリスチレンシートを用いた場合には、熱可塑性樹脂の成形容易性に加え、ポリスチレン樹脂の寸法安定性により、成形後の寸法収縮が少なくなり凹凸部３３ａ、凹凸部３３ｂの寸法精度が向上し、さらにハイインパクトポリスチレンに含まれるゴム粒子の弾性性質により、真空成形時の割れやひびの発生を抑制することができるのである。
【０１１６】
このようにシート材３０の熱可塑性樹脂材料としてポリスチレンを用いた場合には、真空成形後の寸法収縮が少なくなり、凹凸部３３ａ、凹凸部３３ｂの寸法精度が向上する。したがって間隔リブ２４ａおよび間隔リブ２４ｂが精度良く形成されて、再生空気通路１１および冷却空気通路１２の通路間隔が適正に保持される。
【０１１７】
また、シート材３０の熱可塑性樹脂材料にポリプロピレンを用いることもできる。このような素材にすると、ポリプロピレンのこしの強さにより、シート材３０を真空成形金型３１から取り外す際にシート材３０の板折れや曲がりなど起こりにくくなり、また、伝熱板２３ａおよび伝熱板２３ｂを積層する際にも、不用意な取り扱いによる板折れや曲がりが起こりにくくなり、取り扱い性が向上する。
【０１１８】
また、シート材３０の熱可塑性樹脂材料としてポリカーボネートを用いることもできる。このような素材にすると、ポリカーボネートの形状維持性により、間隔リブ２４ａおよび間隔リブ２４ｂ、誘導リブ２７ａおよび誘導リブ２７ｂ、整流リブ２８の強度が向上し、積層状態における隣接する伝熱板２３ａおよび伝熱板２３ｂの各当接箇所の強度が確保されて再生空気通路１１および冷却空気通路１２の通路間隔が確実に保持される。
【０１１９】
また、シート材３０の熱可塑性樹脂材料としてポリエチレンテフタレートを用いることもできる。このような素材にすると、ポリエチレンテフタレートの耐熱性により、伝熱板２３ａおよび伝熱板２３ｂの耐熱性が向上し、異常運転時に熱交換器１０に供給される空気の温度が上昇しても伝熱板２３ａおよび伝熱板２３ｂの熱変形が抑制される。
【０１２０】
また、シート材３０の熱可塑性樹脂材料としてアクリロニトリル・ブタジエン・スチレンを用いることもできる。このような素材にすると、アクリロニトリル・ブタジエン・スチレンの耐衝撃性により、シート材３０を真空成形金型３１から取り外す際にシート材３０にひびや割れなどが発生しにくくなり、また、伝熱板２３ａおよび伝熱板２３ｂを積層する際の取り扱いにおいてもびびや割れが発生しにくくなり、伝熱板２３ａおよび伝熱板２３ｂの気密性が確保される。
【０１２１】
さらに上記した素材から構成されるシート材３０には、抗菌剤、帯電防止剤、難燃剤、脱臭剤などを各々個別に、もしくは複合して添加することもできる。シート材３０に抗菌剤、例えば、イソチアン酸アリル、ヒノキチオール、キトサンなどの天然系抗菌剤、銀などの金属系抗菌剤、酸化チタン光触媒などの光触媒系抗菌剤などの何れかを添加した場合は、シート材３０から成形される伝熱板２３ａおよび伝熱板２３ｂに抗菌処理が施されることになり、熱交換器１０への水滴残留に起因する菌やカビの発生が抑制される。また、シート材３０に帯電防止剤、例えば、アニオン系、カチオン系、非イオン系の低分子型帯電防止剤や金属フィラーなどを添加した場合は、シート材３０から成形される伝熱板２３ａおよび伝熱板２３ｂに帯電防止処理が施されることになり、熱交換器１０で回収した凝縮水への帯電が抑制されて、排水作業時に放電現象が起こりにくくなる。また、シート材３０に難燃剤、例えば、ハロゲン系、リン系、無機系などの難燃剤を添加した場合は、シート材３０から成形される伝熱板２３ａおよび伝熱板２３ｂに難燃処理が施されることになり、異常時の熱交換器１０への供給空気の温度上昇による伝熱板２３ａおよび伝熱板２３ｂの熱変形が抑制されることになる。さらに、シート材３０に脱臭剤、例えば、活性炭や光触媒などを添加した場合は、シート材３０から成形される伝熱板２３ａおよび伝熱板２３ｂに脱臭処理が施されることになり、熱交換器１０内の残留水滴や熱交換器１０に混入した異物からの臭気発生が抑制される。
【０１２２】
また、シート材３０の表面は、水滴の滞留を抑制するために撥水性もしくは親水性にすることが望ましい。例えば、熱可塑性樹脂材料を素材としたシート材３０は、特殊処理を施さなくてもシート材３０の表面は撥水性を有しており、さらに表面にフッ素系撥水材料などをコーティングするとより撥水性が高まる。このようなシート材３０を用いて伝熱板２３ａおよび伝熱板２３ｂを成形すると、成形された伝熱板２３ａおよび伝熱板２３ｂの表面も撥水性となり、再生空気通路１１の表面に結露した水滴が、表面の撥水作用により接触角が大きくなって、再生空気通路１１内を速やかに滴下することになる。また、このシート材３０を親水性塗料、例えば、フッ素系の親水塗料などでコーティングすると、シート材３０の表面に親水性を持たせることができる。このようにすると、シート材３０から成形される伝熱板２３ａおよび伝熱板２３ｂの表面も親水性を有することになり、再生空気通路１１の表面に結露した水滴が親水作用によって液膜状に広がって水滴のブリッジ現象が抑制されることになる。
【０１２３】
図５は、除湿装置の循環経路８を循環する再生空気の状態変化を示す湿り空気線図である。図５において、点３６、点３７、点３８を結んだ実線は、本実施形態に係る除湿装置の再生空気の状態変化を示しており、点３９、点４０、点４１を結んだ破線は、従来の除湿装置の再生空気の状態変化を示している。ここで、点３６および点３９は、熱交換器１０の出口の空気状態を示しており、点３７および点４０は加熱器９の出口の空気状態を示している。また、点３８および点４１は、除湿ローター２の出口、すなわち熱交換器１０の入口の空気状態を示している。本実施形態の除湿装置では、従来の除湿装置に対して熱交換器１０で再生空気と冷却空気の高効率な熱交換を行うため再生空気がより冷却されて低温となる。従って、従来の点３９で示される熱交換器１０出口の温度Ｔｂに対して、本実施形態の点３６で示される熱交換器１０出口の温度Ｔａは、低い値となる。例えば、２０℃の冷却空気を用いた場合に、従来の熱交換器１０出口の温度Ｔｂは、３５℃前後までしか冷やせないのに対し、本実施形態では、熱交換器１０出口の温度Ｔａは、３０℃以下まで冷却できる。また、熱交換器１０出口の空気は、冷却されて水分が飽和した飽和空気であるので飽和水蒸気量は絶対湿度と等しくなる。本実施形態では、この飽和空気である熱交換器１０出口の温度が従来に対して低い温度となるので、相応して絶対湿度も低い値となる。すなわち、従来の点３９で示される熱交換器１０出口の絶対湿度Ｘｂに対して、本実施形態の点３６で示される熱交換器１０出口の絶対湿度Ｘａが低い値となる。具体的には、従来の熱交換器１０出口の絶対湿度Ｘｂが約５ｇ／ｋｇ（ＤＡ）であるのに対し、本実施形態の熱交換器１０出口の絶対湿度Ｘａは、約３ｇ／ｋｇ（ＤＡ）まで下がっている。この絶対湿度、すなわち飽和水蒸気量の小さい再生空気が加熱器９に供給されるので、加熱器９で加熱された空気は、相対湿度が十分に低下して、より乾いた乾燥空気となる。すなわち、点４０で示される従来の加熱器９出口の相対湿度に対して、点３７で示される本実施形態の加熱器９出口の相対湿度が低い値となる。この十分に乾燥した空気が除湿ローター２に供給されるので、除湿ローター２からの水分放出量が増加し、熱交換器１０における凝縮水回収量、すなわち除湿量も増加することになる。さらに、除湿ローター２と加熱器９等の隙間から漏洩する再生空気の飽和水蒸気量も小さくなるので、この空気漏洩に伴う水蒸気の漏洩量も減少し、水蒸気漏洩による除湿量低下が抑制されることになる。このような複合作用により、本実施形態の除湿装置は、除湿効率（除湿した水分の凝縮潜熱量／除湿に要するエネルギー量）を向上させるものであり、例えば、従来の除湿装置の除湿効率が約３２％であるのに対して本実施形態では除湿効率を約４０％まで向上することができるのである。
【０１２４】
以上、説明したように本実施形態の除湿装置は、以下の効果を奏するものである。
【０１２５】
すなわち、伝熱板２３ａおよび伝熱板２３ｂの通路開口以外の端面を隣り合う同士で溶着して、つまり、間隔リブ２４ａと溶融部２９ｂを溶着するとともに間隔リブ２４ｂと溶融部２９ａを溶着して、接着剤を用いずに伝熱板２３ａおよび伝熱板２３ｂの積層状態を強固に固定するとともに再生空気通路１１と冷却空気通路１２の気密性を確保することができる。
【０１２６】
また、伝熱板２３ａおよび伝熱板２３ｂの各々一枚のみを介して再生空気と冷却空気を熱交換させることにより熱抵抗を抑えて熱交換効率を向上することができる。
【０１２７】
また、間隔板などの別部品を設けずに伝熱面を密に形成して熱交換器１０の小型軽量化を図ることができる。
【０１２８】
また、間隔板や通路分割板などの頂角部分を設けずに表面張力による水滴滞留を抑制し、凝縮した水滴を円滑に滴下させることができる。
【０１２９】
また、熱交換器１０において高効率な熱交換を行って再生空気の飽和水蒸気量を小さくし、加熱器９に戻すことにより、除湿ローター２の水分放出量および熱交換器１０での凝縮水回収量を増加させるとともに空気漏洩による除湿量低下を抑制して除湿効率（除湿した水分の凝縮潜熱量／除湿に要するエネルギー量）を向上することができる。
【０１３０】
また、伝熱板２３ａと一体で形成した間隔リブ２４ａおよび伝熱板２３ｂと一体で形成した間隔リブ２４ｂにより、再生空気通路１１および冷却空気通路１２の通路間隔を適正に確保して通風抵抗の増加を抑制することができる。
【０１３１】
また、再生空気通路１１に結露した水滴を誘導リブ２７ａおよび誘導リブ２７ｂに沿わせて円滑に滴下させ、再生空気通路１１内の水滴滞留を抑制することができる。
【０１３２】
また、誘導リブ２７ａおよび誘導リブ２７ｂを再生空気の送風方向において連続に形成したので、リブ不連続部での水滴滞留を抑制し、再生空気通路１１に結露した水滴を速やかに滴下させることができる。
【０１３３】
また、冷却空気通路１２に供給された冷却空気を整流リブ２８に沿わせて均一に流し、再生空気との熱交換効率を向上することができる。
【０１３４】
また、整流リブ２８に沿って流れる冷却空気を整流リブ２８の不連続部において均圧して風速分布を平準化し、熱交換効率を更に向上することができる。
【０１３５】
また、伝熱板２３ａおよび伝熱板２３ｂの長辺側に再生空気通路１１を配し、短辺側に冷却空気通路１２を配設したので、冷却空気通路１２の通路断面積を再生空気通路１１の通路断面積よりも広くし、冷却空気通路１２の通風抵抗を再生空気通路１１の通風抵抗よりも小さくして、再生空気よりも多くの冷却空気を容易に供給することができる。
【０１３６】
また、伝熱板２３ａおよび伝熱板２３ｂの長辺側に冷却空気通路１２を配し、短辺側に再生空気通路１１を配設した場合は、再生空気通路１１の通路断面積を冷却空気通路１２の通路断面積よりも広くし、再生空気通路１１の通風抵抗を冷却空気通路１２の通風抵抗よりも小さくして、冷却空気よりも多くの再生空気を容易に供給することができる。
【０１３７】
また、再生空気通路１１内を再生空気が鉛直下向きに流れるように伝熱板２３ａおよび伝熱板２３ｂを配設したので、再生空気通路１１に結露した水滴を水滴自身の自重と鉛直下向きに流れる再生空気の風圧により速やかに滴下させ、水滴滞留による通風抵抗の増加を抑制することができる。
【０１３８】
また、伝熱板２３ａおよび伝熱板２３ｂの再生空気通路１１の出口側に対応する一辺を水平方向に対して傾斜させたので、再生空気通路１１に結露して通路出口まで滴下した水滴を出口側に対応する一辺の傾斜に沿わせて最下頂点部１５まで移動させて大粒にし、自重により出口部分から容易に分離させ、表面張力による水滴滞留を減らして通路閉塞を抑制することができる。
【０１３９】
また、伝熱板２３ａおよび伝熱板２３ｂの再生空気通路１１の入口側に対応する一辺を水平方向に対して傾斜させ、再生空気通路１１の入口側を再生空気の供給方向に対して手前から奥に向けて上り勾配に形成したので、再生空気通路１１に流入する再生空気の風速分布を均一化して熱交換効率を向上することができる。
【０１４０】
また、伝熱板２３ａおよび伝熱板２３ｂの積層方向両端に再生空気通路１１を配列した場合には、この積層方向両端に配列された再生空気通路１１内を流れる再生空気と熱交換器１０の外周を流れる空気との熱交換を図り、伝熱板２３ａおよび伝熱板２３ｂの全てを伝熱面として有効に作用させることができる。
【０１４１】
また、伝熱板２３ａおよび伝熱板２３ｂの積層方向両端に冷却空気通路１２を配列した場合には、この積層方向両端に配列した冷却空気通路１２によって、その外側に配設される熱交換器１０の固定部と、その内側に配列される再生空気通路１１内の再生空気との断熱を図り、高温の再生空気による固定部の熱変形を抑制することができる。
【０１４２】
また、伝熱板２３ａおよび伝熱板２３ｂを、熱可塑性樹脂材料からなるシート材３０から成形したので、熱可塑性樹脂材料の成形容易性により、伝熱板２３ａに一体成形する間隔リブ２４ａおよび誘導リブ２７ａや、伝熱板２３ｂに一体形成する間隔リブ２４ｂ、誘導リブ２７ｂおよび整流リブ２８などの凹凸部の成形性を向上することができる。
【０１４３】
さらに、シート材３０にゴム粒子を分散させた場合には、シート材３０に分散したゴム粒子の弾性性質により、凹凸部の成形時のひびや割れの発生を抑制することができる。
【０１４４】
また、シート材３０の熱可塑性樹脂材料としてポリスチレンを用いた場合には、ポリスチレンの寸法安定性により、成形後の凹凸部の寸法収縮を抑え、間隔リブ２４ａおよび間隔リブ２４ｂを精度良く形成し、再生空気通路１１および冷却空気通路１２の通路間隔を適正に保持することができる。
【０１４５】
また、シート材３０の熱可塑性樹脂材料としてポリプロピレンを用いた場合には、ポリプロピレンのこしの強さにより、シート材３０の成形時や伝熱板２３ａおよび伝熱板２３ｂの積層時における板折れや曲がりの発生を抑制し、取り扱い性を向上することができる。
【０１４６】
また、シート材３０の熱可塑性樹脂材料としてポリカーボネートを用いた場合には、ポリカーボネートの形状維持性により、積層状態において隣接する伝熱板２３ａおよび伝熱板２３ｂの各当接箇所の強度を確保し、再生空気通路１１および冷却空気通路１２の通路間隔を確実に保持することができる。
【０１４７】
また、シート材３０の熱可塑性樹脂材料としてポリエチレンテフタレートを用いた場合には、ポリエチレンテフタレートの耐熱性により、伝熱板２３ａおよび伝熱板２３ｂの耐熱性を向上させ、異常時の温度上昇による伝熱板２３ａおよび伝熱板２３ｂの熱変形を抑制することができる。
【０１４８】
また、シート材３０の熱可塑性樹脂材料としてアクリロニトリル・ブタジエン・スチレンを用いた場合には、アクリロニトリル・ブタジエン・スチレンの耐衝撃性により、伝熱板２３ａおよび伝熱板２３ｂの対衝撃性を向上させ、凹凸部の成形時や積層時のひびや割れの発生を抑制し、伝熱板２３ａおよび伝熱板２３ｂの気密性を確保することができる。
【０１４９】
また、シート材３０に、ハイインパクトポリスチレンシートを用いた場合には、ハイインパクトポリスチレンの寸法安定性により、成形後の凹凸部の寸法収縮を抑え、間隔リブ２４ａおよび間隔リブ２４ｂを精度良く形成して再生空気通路１１および冷却空気通路１２の通路間隔を適正に保持するとともに、ハイインパクトポリスチレンに含まれるゴム粒子の弾性性質により、凹凸部成形時にひびや割れの発生を抑制することができる。
【０１５０】
また、シート材３０の厚みを０．０５〜０．５ｍｍの範囲としたので、凹凸部成形時に破れにくくできるとともに、伝熱板２３ａおよび伝熱板２３ｂの熱抵抗を少なくして熱交換効率を向上することができる。
【０１５１】
また、シート材３０に抗菌剤を添加した場合には、伝熱板２３ａおよび伝熱板２３ｂに抗菌処理が施されるので、熱交換器１０内の水滴残留に起因する菌やカビの発生を抑制することができる。
【０１５２】
また、シート材３０に帯電防止剤を添加した場合には、伝熱板２３ａおよび伝熱板２３ｂに帯電防止処理が施されるので、熱交換器１０で回収した凝縮水に帯電しにくくして、排水作業時の放電現象を抑制することができる。
【０１５３】
また、シート材３０に難燃剤を添加した場合には、伝熱板２３ａおよび伝熱板２３ｂに難燃処理が施されるので、異常時の温度上昇による伝熱板２３ａおよび伝熱板２３ｂの熱変形を抑制することができる。
【０１５４】
また、シート材３０に脱臭剤を添加した場合には、伝熱板２３ａおよび伝熱板２３ｂに脱臭処理が施されるので、熱交換器１０内の残留水滴や熱交換器１０に混入した異物からの臭気発生を抑制することができる。
【０１５５】
また、シート材３０の表面を撥水性とした場合には、シート材３０から成形される伝熱板２３ａおよび伝熱板２３ｂの表面も撥水性を有するので、再生空気通路１１に結露した水滴の接触角を大きくし、水滴を速やかに滴下させることができる。
【０１５６】
また、シート材３０の表面を親水性とした場合には、シート材３０から成形される伝熱板２３ａおよび伝熱板２３ｂの表面も親水性を有するので、再生空気通路１１に結露した水滴を液膜状に広げて水滴のブリッジ現象を抑制することができる。
【０１５７】
以上説明した内容は、発明を実施するための一形態についてのみ説明したものであり、本発明は上記実施の形態に限定されるものではない。
【０１５８】
例えば、上記実施の形態では、熱交換器１０の冷却空気通路１２に供給する冷却空気として処理ファン４によって吸湿経路６に供給される空気を用いたが、冷却空気は再生空気を冷却できるものであればよいのであって、吸湿経路６とは別経路の空気を供給してもよく、また、処理ファン４とは別のファンを用いて空気を供給するように構成してもよい。
【０１５９】
また、上記実施の形態では、伝熱板２３ａおよび伝熱板２３ｂの外形を台形状に形成したが、伝熱板２３ａおよび伝熱板２３ｂは、再生空気通路１１と冷却空気通路１２が形成可能なように少なくとも二組の対辺を有する形状であればよく、矩形状、平行四辺形状、直角台形状などに形成してもよい。また、外形を四角形以上のｎ角形状に形成し、再生空気通路１１の開口となる対辺および冷却空気通路１２の開口となる対辺以外の辺をシール面として形成してもよい。
【０１６０】
また、上記実施の形態では、間隔リブ２４ａの凸部寸法を幅４ｍｍ程度、高さ３ｍｍ程度としたが、これら寸法は、使用条件等を踏まえて適宜設計すればよい。同様に間隔リブ２４ｂの凸部寸法も、幅４ｍｍ程度、高さ２ｍｍ程度に設定したが、これら寸法も使用条件等を踏まえて適宜設定可能である。
【０１６１】
また、上記実施の形態では、再生空気通路１１内に伝熱板２３ａ側から幅２ｍｍ程度、高さ３ｍｍ程度の誘導リブ２７ａを突設させ、伝熱板２３ｂ側から幅２ｍｍ程度、高さ１ｍｍ程度の誘導リブ２７ｂを２本突設させる構成としたが、誘導リブの本数、位置、幅寸法、リブ高さ寸法はこれに限るものではない。例えば、再生空気通路１１内に伝熱板２３ａ側もしくは伝熱板２３ｂ側の何れか一方向側からリブを突設させる構成としてもよく、リブ本数やリブ幅寸法も再生空気通路１１の通路幅などに応じて適宜設定可能である。また、リブ高さ寸法も再生空気通路１１の通路間隔を規定する間隔リブ２４ａ以下であれば、再生空気通路１１の通路間隔などに応じて適宜設定すればよいのである。
【０１６２】
また、上記実施の形態では、冷却空気通路１２内に伝熱板２３ｂ側から、幅１ｍｍ程度、高さ２ｍｍ程度の整流リブ２８を複数本突設させる構成としたが、整流リブの本数、位置、幅寸法、リブ高さ寸法はこれに限るものではない。例えば、冷却空気通路１２内に伝熱板２３ａ側と伝熱板２３ｂ側の両側からリブを突設させる構成としてもよく、リブ本数やリブ幅寸法も冷却空気通路１２の通路幅などに応じて適宜設計可能である。また、リブ高さ寸法も冷却空気通路１２の通路間隔を規定する間隔リブ２４ｂ以下であれば、冷却空気通路１２の通路間隔などに応じて適宜設定すればよいのである。
【０１６３】
また、上記実施の形態では、再生空気通路１１と冷却空通路１２の配列パターンとして、積層方向両端側に再生空気通路１１が配列される場合、もしくは積層方向両端側に冷却空気通路１２が配列される場合について説明したが、実施可能な配列パターンはこれに限るものではない。すなわち、積層方向の両端の一方に再生空気通路１１を配し、他方に冷却空気通路１２を配列してもよい。これら配列パターンは装置構成に応じて適宜選定可能である。
【０１６４】
また、上記実施の形態では、伝熱板２３ａおよび伝熱板２３ｂの固定および再生空気通路１１と冷却空気通路１２の気密性を確保する方法として、間隔リブ２４ａと溶融部２９ｂを溶着するとともに間隔リブ２４ｂと溶融部２９ａを溶着する方法を示したが、積層状態において伝熱板の通路開口部以外の端面を隣り合う同士で溶着できるように構成すればよく、これに限るものではない。
【０１６５】
また、上記実施の形態では、間隔リブ、誘導リブ、整流リブ、溶融部などの凹凸部を伝熱板に一体形成する方法として、真空成形により平板状のシート材３０に凹凸部を形成する方法を示したが、成形方法は、これに限るものではなく、例えば、圧空成形、超高圧成形、プレス成形等によりシート材３０に凹凸部を形成するようにしてもよい。
【０１６６】
また、上記実施の形態では、真空成形金型３１に凹凸パターン３２ａおよび凹凸パターン３２ｂの二種類の凹凸パターンを形成し、一回の成形で伝熱板２３ａの凹凸形状である凹凸部３３ａと伝熱板２３ｂの凹凸形状である凹凸部３３ｂを同時に成形する方法を示したが、成形方法は、これに限るものではなく、凹凸部３３ａおよび凹凸部３３ｂを各々個別に成形してもよく、また凹凸部３３ａおよび凹凸部３３ｂを各々同時に複数個成形できるように真空成形金型３１を構成してもよい。これらは、成形時間、成形数量に基づいて適宜設定すればよい。
【０１６７】
また、上記実施の形態では、伝熱板２３ａ、伝熱板２３ｂの各々の外周形状と等しい形状の抜き刃３４を備えた抜き型３５を、凹凸部３３ａおよび凹凸部３３ｂが成形されたシート材３０に押し付けて切断し、伝熱板２３ａおよび伝熱板２３ｂを形成する方法を示したが、切断方法はこれに限るものではなく、例えば、シート材３０を超音波カッターやレーザーなどにより所定外形に切断するように構成してもよい。
【産業上の利用可能性】
【０１６８】
以上のように本発明にかかる除湿装置は、熱交換効率を向上でき、小型軽量化が図れ、再生空気通路の水滴滞留も少なく、また、接着剤を用いずに再生空気通路と冷却空気通路の気密性を高められる熱交換器を搭載し、除湿効率（除湿した水分の凝縮潜熱量／除湿に要するエネルギー量）の向上を図ったものであり、除湿機、乾燥機、衣類乾燥機、衣類乾燥洗濯機、浴室乾燥機、空調機または溶剤回収装置等の高効率な除湿機能が所望される用途に適している。
【図面の簡単な説明】
【０１６９】
【図１】本発明の実施の形態に係る除湿装置の概略断面図
【図２】同、除湿装置に搭載する除湿ローターの概略分解斜視図
【図３】同、除湿装置に搭載する熱交換器の概略分解斜視図
【図４】同、除湿装置に搭載する熱交換器の伝熱板の概略成形工程図
【図５】同、除湿装置の再生空気の状態変化を示す湿り空気線図
【符号の説明】
【０１７０】
２      除湿ローター
６      吸湿経路
８      循環経路
９      加熱器
１０    熱交換器
１１    再生空気通路
１２    冷却空気通路
２３ａ  伝熱板
２３ｂ  伝熱板
２４ａ  間隔リブ
２４ｂ  間隔リブ
２７ａ  誘導リブ
２７ｂ  誘導リブ
２８    整流リブ
３０    シート材
【図１】
0005261865.tif 000002
【図２】
0005261865.tif 000003
【図３】
0005261865.tif 000004
【図４】
0005261865.tif 000005
【図５】
0005261865.tif 000006